(57)【特許請求の範囲】
【請求項１】
衣類を乾燥させる乾燥装置であって、
前記衣類が収容される乾燥槽と、
前記乾燥槽中の前記衣類を乾燥するための乾燥空気を循環させる循環システムと、
前記乾燥槽及び前記循環システムを収容する主筐体と、を備え、
前記主筐体は、前記主筐体の上面を形成し、且つ、前記主筐体から取り外し可能に形成された天壁と、前記乾燥槽へ前記衣類を投入するための投入部が設けられた正面壁と、前記正面壁と反対側の背面壁と、を含み、
前記循環システムは、前記乾燥空気を除湿する熱交換器と、前記熱交換器によって除湿された前記乾燥空気が送り込まれ、且つ、前記乾燥空気からリントを除去するフィルタ装置と、を含み、
前記熱交換器は、前記乾燥槽からの前記乾燥空気が流入する第１流入口と、前記天壁に向けて開口する排気口と、前記第１流入口と前記排気口との間で、前記天壁に向けて延出し、且つ、前記乾燥空気を除湿するための除湿液を下方に案内する内面を有する熱交換管と、を含み、
前記フィルタ装置は、下側ユニットと、前記下側ユニットに収容される上側ユニットと、を含み、且つ、前記排気口に対して、前記背面壁に沿った水平方向である第１方向にずらされた位置に配設され、
前記下側ユニットは、第２流入口が形成された側壁を含み、
前記第２流入口は、前記排気口と、ベローズ管によって着脱自在に接続され、
前記天壁及び前記ベローズ管が取り外された状態で、前記排気口を通じた視線が前記内面に到達することを許容する
乾燥装置。
【請求項２】
前記循環システムは、前記フィルタ装置によって前記リントが除去された前記乾燥空気を前記正面壁に向かう第２方向に案内するダクト要素を含む
請求項１に記載の乾燥装置。
【請求項３】
前記天壁には、前記上側ユニットを前記下側ユニットに挿入可能にする取出口を設けた
請求項１又は２に記載の乾燥装置。
【発明の詳細な説明】
【技術分野】
【０００１】
本発明は、衣類を乾燥処理する乾燥装置に関する。
【背景技術】
【０００２】
衣類を乾燥させる乾燥機や乾燥機能に加えて洗濯機能を有する洗濯乾燥機といった乾燥装置は、典型的には、衣類の乾燥に用いられる乾燥空気を除湿するための除湿装置を備える。
【０００３】
特許文献１は、洗濯乾燥機に用いられる管状の熱交換器を開示する。当該熱交換器は、乾燥空気を除湿するために用いられる。
【０００４】
乾燥空気を衣類に吹き付ける乾燥処理によって、衣類からリント（糸くずといった埃成分）が発生する。リントは、乾燥空気によって、乾燥装置内で循環される。乾燥空気は、管状の熱交換器内を通過する。
【０００５】
熱交換器内には、乾燥空気に加えて、水が供給される。水との熱交換の結果、乾燥空気は除湿される。
【先行技術文献】
【特許文献】
【０００６】
【特許文献１】特開２００４−１５４４５０号公報
【発明の概要】
【発明が解決しようとする課題】
【０００７】
乾燥空気の除湿に用いられる水の供給の結果、管状の熱交換器の内面は、湿っているので、乾燥空気中のリントは、熱交換器の内面に付着しやすい。熱交換器に付着したリントは、熱交換効率の低下といった不具合を生じさせる。
【０００８】
熱交換器は、典型的には、乾燥機の筐体内に配設される。乾燥機の筐体は、多くの場合、小型化への要求に応じて、可能な限り小さく設計される。筐体内には、熱交換器に加えて、乾燥空気の循環に用いられる送風機、乾燥空気からリントを除去するためのフィルタ装置や乾燥空気を案内するための様々な管体が密集して配設される。
【０００９】
筐体内に密集して配設されるこれらの要素は、熱交換器の内部の観察を阻害する。したがって、例えば、乾燥機の不具合の原因を見出そうとする作業者は、筐体内に密集する様々な設備を取り外す必要がある。このことは、乾燥機のメンテナンス作業に大きな労力を要求する。
【００１０】
本発明は、効率的なメンテナンス作業を可能にする乾燥装置を提供することを目的とする。
【課題を解決するための手段】
【００１１】
本発明の一局面に係る衣類を乾燥させる乾燥装置は、前記衣類が収容される乾燥槽と、前記乾燥槽中の前記衣類を乾燥するための乾燥空気を循環させる循環システムと、を備え、該循環システムは、前記乾燥空気を除湿する除湿要素と、該除湿要素によって除湿された前記乾燥空気が送り込まれる下流要素と、を含み、前記除湿要素は、前記乾燥空気を除湿するための除湿液を案内する内面を有する案内管を含み、該案内管は、前記乾燥空気が排気される排気口を含み、前記排気口の開口方向に対して直交する方向にずらされて配置された前記下流要素は、前記排気口を通じた視線が前記内面に到達することを許容することを特徴とする。
【００１２】
上記構成によれば、乾燥装置は、衣類が収容される乾燥槽と、乾燥槽中の衣類を乾燥するための乾燥空気を循環させる循環システムと、を備える。循環システムは、乾燥空気を除湿する除湿要素と、除湿要素によって除湿された乾燥空気が送り込まれる下流要素と、を含む。除湿要素は、乾燥空気を除湿するための除湿液を案内する内面を有する案内管を含む。下流要素は、排気口の開口方向に対して直交する方向にずらされて配置されるので、排気口を通じた視線が内面に到達する。かくして、作業者は、下流要素を除去することなく、除湿要素の案内管の内面を観察することができ、効率的なメンテナンス作業が達成される。
【００１３】
上記構成において、前記乾燥槽及び前記循環システムを収容する主筐体を更に備え、該主筐体は、取り外し可能に形成された壁部を含み、前記排気口は、前記壁部に向けて開口することが好ましい。
【００１４】
上記構成によれば、乾燥槽及び循環システムを収容する主筐体は、取り外し可能に形成された壁部を含む。排気口は、壁部に向けて開口するので、作業者は、壁部を除去すると、除湿要素の案内管の内面を観察することができる。かくして、効率的なメンテナンス作業が達成される。
【００１５】
上記構成において、前記乾燥空気が流入する流入口を含む前記案内管は、前記流入口から前記排気口の間で前記壁部に向けて延出することが好ましい。
【００１６】
上記構成によれば、乾燥空気が流入する流入口を含む案内管は、流入口から排気口の間で壁部に向けて延出するので、作業者は、流入口から排気口までの案内管の内面を観察することができる。かくして、効率的なメンテナンス作業が達成される。
【００１７】
上記構成において、前記壁部と前記排気口との間に配設された前記下流要素は、前記乾燥空気からリントを除去する除去装置を含むことが好ましい。
【００１８】
上記構成によれば、壁部と排気口との間に配設された下流要素は、乾燥空気からリントを除去する除去装置を含むので、除湿された乾燥空気からリントが適切に除去される。
【００１９】
上記構成において、前記壁部は、前記主筐体の上面を形成する天壁を含み、前記除去装置は、前記排気口に対して、水平方向にずらされた位置に配設されることが好ましい。
【００２０】
上記構成によれば、作業者は、主筐体の上面を形成する天壁を除去することができる。除去装置は、排気口に対して水平方向にずらされているので、作業者は、天壁を除去すると、除湿要素の案内管の内面を観察することができる。かくして、効率的なメンテナンス作業が達成される。
【００２１】
上記構成において、前記案内面は、前記除湿液を下方に案内することが好ましい。
【００２２】
上記構成によれば、案内面は、重力作用を用いて、除湿液を下方に案内するので、除湿液とともにリントが除去されやすくなる。
【００２３】
上記構成において、前記主筐体は、前記乾燥槽へ前記衣類を投入するための投入部が設けられた正面壁と、該正面壁と反対側の背面壁と、を含み、前記除湿要素は、前記除去装置と前記排気口とを着脱自在に接続する接続管を含み、前記除去装置は、前記排気口に対して、前記背面壁に沿う第１方向にずらされた位置に配設され、前記下流要素は、前記除去装置によって前記リントが除去された前記乾燥空気を前記正面壁に向かう第２方向に案内するダクト要素を含むことが好ましい。
【００２４】
上記構成によれば、主筐体の正面壁には、乾燥槽へ衣類を投入するための投入部が設けられる。除湿要素は、除去装置と排気口とを着脱自在に接続する接続管を含む。除去装置は、排気口に対して、正面壁と反対側の背面壁に沿う第１方向にずらされた位置に配設される。下流要素は、除去装置によってリントが除去された乾燥空気を前記正面壁に向かう第２方向に案内するダクト要素を含むので、背面壁及び天壁に沿う空間領域が循環システムのために好適に利用される。かくして、小型の乾燥装置が提供される。
【発明の効果】
【００２５】
上述の如く、本発明に係る乾燥装置は、効率的なメンテナンス作業を可能にする。
【図面の簡単な説明】
【００２６】
【図１】一実施形態に従う乾燥機の概略的な斜視図である。
【図２】図１に示される乾燥機の正面図である。
【図３】図１に示される乾燥機の平面図である。
【図４】図１に示される乾燥機の内部構造を示す斜視図である。
【図５】図１に示される乾燥機の内部構造を示す概略的な断面図である。
【図６】図１に示される乾燥機の内部構造を示す平面図である。
【図７】図１に示される乾燥機が備える熱交換器の側面図である。
【図８】図１に示される乾燥機が備えるフィルタ装置、ダクトユニット、送風機、ヒータ及び管路の概略的な配置図である。
【図９】図１に示される乾燥機が備える熱交換器及びフィルタ装置の背面図である。
【図１０】図１に示される乾燥機が備えるフィルタ装置の断面図である。
【図１１】図１０に示されるフィルタ装置が備える下側ユニットの断面図である。
【図１２】図１に示される乾燥機の平面図である。
【図１３】図１０に示されるフィルタ装置が備える上側ユニットの斜視図である。
【図１４】図１３に示される上側ユニットの断面図である。
【図１５】図１３に示される上側ユニットの正面図である。
【図１６】図１３に示される上側ユニットが備える第１筐体の右側面図である。
【図１７】図１３に示される上側ユニットの概略的な断面図である。
【図１８】図１３に示される上側ユニットの概略的な正面図である。
【図１９】図１３に示される上側ユニットが備える第１筐体及び回転突起を示す図である。
【図２０】図１３に示される上側ユニットが備える第２筐体及び支持筒を示す図である。
【図２１】図１３に示される上側ユニットが備える第１筐体及び第２筐体を示す図である。
【図２２】図２１に示される第２筐体の第１支持筒と、第１筐体の第１回転突起と、を示す図である。
【図２３】図２１に示される第２筐体の概略的な断面図である。
【図２４】図１３に示される上側ユニットの斜視図である。
【図２５】図２４に示される上側ユニットを示す図である。
【発明を実施するための形態】
【００２７】
以下、図面を参照しつつ、乾燥装置の一実施形態が説明される。尚、以下の説明で用いられる「上」、「下」、「左」や「右」などの方向を表す用語は、単に、説明の明瞭化を目的とするものであり、乾燥装置の原理を何ら限定するものではない。
【００２８】
（乾燥機の全体構成）
図１は、乾燥機能に加えて、洗濯機能を有する乾燥機の概略的な斜視図である。図２は、図１に示される乾燥機の正面図である。図３は、図１に示される乾燥機の平面図である。
【００２９】
本実施形態において、図１乃至図３に示される乾燥機１００は、衣類を乾燥させるための乾燥装置として例示される。代替的に、洗濯機能を有さない乾燥機が、乾燥装置として用いられてもよい。
【００３０】
乾燥機１００は、略矩形箱状の主筐体１１０を備える。主筐体１１０は、正面壁１１１、正面壁１１１とは反対側の背面壁１１２、正面壁１１１と背面壁１１２との間で直立した左側壁１１３及び右側壁１１４を含む。主筐体１１０は、正面壁１１１、背面壁１１２、左側壁１１３及び右側壁１１４の上縁に囲まれた天壁１１５と、正面壁１１１、背面壁１１２、左側壁１１３及び右側壁１１４の下縁に囲まれた底壁１１６と、を更に含む。
【００３１】
乾燥機１００は、正面壁１１１の上部に取り付けられた操作パネル１２０を更に備える。使用者は、操作パネル１２０を通じて、乾燥機１００の動作に関連する情報（例えば、洗濯、すすぎ、脱水、乾燥のための期間に関する情報や使用される洗剤に関する情報）を入力することができる。
【００３２】
乾燥機１００は、正面壁１１１に回動可能に取り付けられた扉体１３０を更に備える。使用者は、扉体１３０を開き、衣類を主筐体１１０内に投入する、或いは、主筐体１１０内の衣類を取り出すことができる。本実施形態において、扉体１３０は、衣類を投入するための投入部として例示される。
【００３３】
図４は、主筐体１１０内に配設される様々な要素を示す乾燥機１００の斜視図である。図４に示される乾燥機１００からは、正面壁１１１、背面壁１１２、左側壁１１３、右側壁１１４及び天壁１１５が除去されている。図５は、主筐体１１０内に配設される様々な要素を示す乾燥機１００の概略的な断面図である。図１、図４及び図５を用いて、乾燥機１００が更に説明される。
【００３４】
図４に示される如く、乾燥機１００は、衣類が収容される処理槽２００を備える。処理槽２００には、正面壁１１１に向けて開口する投入口２０１が形成される。図１に関連して説明された如く、使用者は、扉体１３０を開け、衣類を、投入口２０１を介して、処理槽２００内に投入することができる。或いは、使用者は、扉体１３０を開け、衣類を、投入口２０１を介して、処理槽２００から取り出すことができる。本実施形態において、処理槽２００は、乾燥槽として例示される。
【００３５】
図５に示される如く、処理槽２００は、衣類を洗濯するために用いられる洗濯水を貯留する水槽２１０と、水槽２１０内に配設される回転ドラム２２０と、を含む。回転ドラム２２０は、略円筒状の周壁２２１と、投入口２０１に対向する底壁２２２と、を含む。水槽２１０は、回転ドラム２２０の周壁２２１を取り囲む略円筒状の周壁２１１と、回転ドラム２２０の底壁２２２に沿う底壁２１２と、を含む。回転ドラム２２０は、水槽２１０に対して、略同心に配設される。
【００３６】
乾燥機１００は、回転ドラム２２０の底壁２２２から、水槽２１０の底壁２１２を貫き、底壁２１２から突出する回転シャフト２３１と、水槽２１０の下方に配設された駆動モータ２３０と、駆動モータ２３０の駆動力を回転シャフト２３１に伝達するための駆動ベルト２３２と、を更に備える。駆動モータ２３０が作動すると、駆動ベルト２３２及び回転シャフト２３１を通じて、回転ドラム２２０に駆動力が伝達され、回転ドラム２２０は、水槽２１０内で回転する。
【００３７】
図４に示される如く、乾燥機１００は、主筐体１１０の底壁１１６と処理槽２００とを接続するダンパ要素２４０と、主筐体１１０の天壁１１５と処理槽２００とを接続するサスペンション要素２４５と、を更に備える。主筐体１１０内で、処理槽２００を支持するダンパ要素２４０及びサスペンション要素２４５は、回転ドラム２２０の回転に伴う処理槽２００の振動を減衰させる。したがって、主筐体１１０には、処理槽２００からの振動はほとんど伝達されない。
【００３８】
図４に示される如く、乾燥機１００は、制御装置２５０を更に備える。制御装置２５０は、乾燥機１００の様々な動作を制御する。例えば、使用者が操作パネル１２０を操作し、乾燥機１００の乾燥動作を指示すると、制御信号を出力し、駆動モータ２３０を作動させる。
【００３９】
図１に示される如く、乾燥機１００は、主筐体１１０内に水を供給するための給水口３０１を更に備える。本実施形態において、給水口３０１は、天壁１１５の背面縁１１７と天壁１１５の左縁１１８とで形成される角隅部に現れる。
【００４０】
図４に示される如く、乾燥機１００は、天壁１１５の下方に配設された給水ユニット３００を更に備える。給水ユニット３００は、給水口３０１に接続される制御弁３１０と、制御弁３１０が固定される外面を含む筐体３２０と、を含む。筐体３２０内には、処理槽２００へ水を供給するための流路（図示せず）が形成される。
【００４１】
乾燥機１００は、乾燥空気と熱交換し、乾燥空気を除湿する熱交換器４００を更に備える。給水ユニット３００の筐体３２０内には、処理槽２００へ水を供給するための流路に加えて、乾燥空気を除湿するために用いられる除湿水を供給するための流路が形成される。制御弁３１０は、制御装置２５０の制御下で、給水口３０１から筐体３２０内への給水或いは給水の停止を切り替える。また、制御弁３１０は、処理槽２００へ水を供給するための流路及び除湿水を供給するための流路を開閉する。例えば、使用者が、操作パネル１２０を操作し、洗濯工程の開始を指示すると、制御弁３１０は、制御装置２５０の制御下で、筐体３２０内への水の流入を許容する。また、制御弁３１０は、処理槽２００へ水を供給するための流路を開く。この結果、処理槽２００内に水が供給される。或いは、使用者が、操作パネル１２０を操作し、乾燥工程の開始を指示すると、制御弁３１０は、制御装置２５０の制御下で、筐体３２０内への水の流入を許容する。また、制御弁３１０は、熱交換器４００へ除湿水を供給するための流路を開く。この結果、熱交換器４００内に除湿水が供給され、乾燥空気が除湿される。
【００４２】
筐体３２０は、右方に突出する排水筒３２１を含む。制御弁３１０が、熱交換器４００へ除湿水を供給するための流路を開くと、排水筒３２１と熱交換器４００とを接続する接続チューブ（図示せず）を通じて、除湿水が熱交換器４００へ流入する。
【００４３】
給水ユニット３００は、筐体３２０内に配設された収容ケース３３０を更に備える。収容ケース３３０内には、洗濯工程で用いられる洗剤やすすぎ工程で用いられる柔軟剤が収容される。
【００４４】
図１に示される如く、収容ケース３３０は、使用者が指を挿入できるように形成された取手部３３１を含む。使用者は、取手部３３１を用いて、収容ケース３３０を筐体３２０から引き出すことができる。この結果、収容ケース３３０の内部は、主筐体１１０外に露出する。その後、使用者は、洗剤や柔軟剤を収容ケース３３０内に投入し、収容ケース３０を筐体３２０内に押し込むことができる。
【００４５】
図４に関連して説明された制御弁３１０が処理槽２００へ水を供給するための流路を開くと、筐体３２０内へ流入した水は、収容ケース３３０内の洗剤或いは柔軟剤と混合される。この結果、洗濯工程において、収容ケース３３０内の洗剤と給水口３０１から供給された水とが混合された洗濯水が処理槽２００に供給される。また、すすぎ工程において、収容ケース３３０内の柔軟剤と給水口３０１から供給された水とが混合された混合液が処理槽２００に供給される。
【００４６】
図５に示される如く、乾燥機１００は、給水ユニット３００と水槽２１０の底壁２１２の上部とを接続する給水管３５０を更に備える。制御弁３１０が処理槽２００へ水を供給するための流路を開くと、給水口３０１から供給された水は、給水管３５０を通じて、処理槽２００内に供給される。
【００４７】
乾燥機１００は、水槽２１０の周壁２１１の下部に接続された排水管３６０と、排水管３６０を制御装置２５０の制御下で開閉する制御弁３６１と、を更に備える。
【００４８】
図４に示される如く、主筐体１１０の底壁１１６の側面には、排水口３６２が形成される。排水管３６０は、排水口３６２に連通する。制御弁３６１が排水管３６０を開くと、排水口３６２を介して、処理槽２００内の水は、主筐体１１０外へ排出される。
【００４９】
図５に示される如く、熱交換器４００は、水槽２１０の底壁２１２の下部に接続される。したがって、給水ユニット３００から熱交換器４００に供給された除湿水は、最終的に、処理槽２００内に流入する。制御弁３６１が排水管３６０を開くと、乾燥空気の除湿に用いられた除湿水も排水口３６２を介して、主筐体１１０外へ排出される。
【００５０】
乾燥機１００は、排水管３６０に接続されたフィルタユニット５００を備える。排水管３６０は、フィルタユニット５００を介して、排水口３６２に接続される。フィルタユニット５００は、排水管３６０中を流れる水からリントや他の異物を除去するためのフィルタ部材５１０を備える。したがって、排水口３６２からは、フィルタ部材５１０によってリントといった異物が除去された水が排出される。
【００５１】
フィルタユニット５００は、正面壁１１１に固定される。図４に関連して説明された如く、ダンパ要素２４０及びサスペンション要素２４５は、処理槽２００からの振動を減衰させるので、フィルタユニット５００は、正面壁１１１に安定的に保持される。
【００５２】
図５に示される如く、フィルタ部材５１０は、正面壁１１１に向けて突出する取手部５１１を含む。図１に示される如く、正面壁１１１は、制御装置２５０を覆う保護カバー２５１と、保護カバー２５１に回動可能に取り付けられた扉部２５２と、を含む。フィルタユニット５００は、保護カバー２５１に固定される。使用者が扉部２５２を開くと、取手部５１１が露出する。使用者は、取手部５１１を摘み、フィルタ部材５１０を取り出すことができる。
【００５３】
乾燥機１００は、処理槽２００中の衣類を乾燥するための乾燥空気を循環させる循環システム６００を更に備える。循環システム６００は、上述の熱交換器４００に加えて、乾燥空気を処理槽２００に流入させる送風機６１０と、送風機６１０から処理槽２００までの乾燥空気の流路を規定する管路６１５と、送風機６１０から処理槽２００に向かう乾燥空気を加熱するヒータ６２０と、を備える。
【００５４】
図４及び図５に示される如く、管路６１５は、投入口２０１の近傍で、水槽２１０の周壁２１１に接続される。送風機６１０が作動すると、管路６１５を通じて、処理槽２００内に乾燥空気が流入する。ヒータ６２０は、送風機６１０から処理槽２００に向けて流れる乾燥空気を加熱するので、比較的高温の乾燥空気が、処理槽２００内の衣類に吹き付けられる。この結果、衣類から水分が蒸発する。
【００５５】
蒸発した水分を含む乾燥空気は、その後、水槽２１０の底壁２１２に接続された熱交換器４００に流入する。上述の如く、熱交換器４００内には、給水ユニット３００から供給された除湿水が流下するので、熱交換器４００に流入した乾燥空気は、除湿される。本実施形態において、熱交換器４００は、除湿要素として例示される。
【００５６】
循環システム６００は、送風機６１０と熱交換器４００との間に配設されたフィルタ装置７００を更に備える。熱交換器４００は、フィルタ装置７００と連結されるベローズ管４１４を含む。乾燥空気が吹き付けられた衣類からリントが分離する。分離したリントは、その後、熱交換器４００及びベローズ管４１４を通じて、フィルタ装置７００に向かう。フィルタ装置７００は、乾燥空気からリントを除去する。本実施形態において、フィルタ装置７００は、除去装置として例示される。
【００５７】
図５に示される如く、循環システム６００は、フィルタ装置７００から送風機６１０へ流れる乾燥空気を案内するダクトユニット６６０を更に備える。送風機６１０は、ダクトユニット６６０内を負圧にするので、フィルタ装置７００によってリントが除去された乾燥空気は、ダクトユニット６６０を通じて、送風機６１０に向かう。かくして、循環システム６００は、主筐体１１０内で、乾燥空気の循環経路を形成する。本実施形態において、ダクトユニット６６０は、ダクト要素として例示される。また、フィルタ装置７００及びダクトユニット６６０は、除湿要素によって除湿された乾燥空気が送り込まれる下流要素として例示される。
【００５８】
（フィルタ装置と熱交換器との接続構造）
図６は、乾燥機１００の内部構造を示す平面図である。図１及び図６を用いて、乾燥機１００の主筐体１１０の分解方法が説明される。
【００５９】
主筐体１１０の上面を形成する天壁１１５は、正面壁１１１、背面壁１１２、左側壁１１３及び右側壁１１４といった周壁に、ネジといった固定具を用いて固定される。乾燥機１００を修繕或いは点検する作業者は、固定具を取り外し、天壁１１５を主筐体１１０の周壁から除去することができる。かくして、作業者は、乾燥機１００の内部を観察することができる。本実施形態において、天壁１１５は、取り外し可能な壁部として例示される。
【００６０】
図７は、熱交換器４００の側面図である。図５及び図７を用いて、熱交換器４００からフィルタ装置７００へ向かう乾燥空気の流れが説明される。
【００６１】
熱交換器４００は、乾燥空気と熱交換を行う熱交換管４１０を備える。熱交換管４１０は、乾燥空気が流動する流路を規定する内面４１１を含む。熱交換器４００は、熱交換管４１０が規定する流路に乾燥空気を除湿するための除湿水を供給するための略円筒状の給水口４２０を更に備える。給水口４２０は、最も下方の第１給水口４２１と、第１給水口４２１の上方に形成された第２給水口４２２と、第２給水口４２２より上方に形成された第３給水口４２３と、を含む。本実施形態において、熱交換管４１０は、案内管として例示される。
【００６２】
熱交換管４１０は、流入口４１２と、流入口４１２の上方に形成された排気口４１３と、を含む。熱交換管４１０は、流入口４１２と排気口４１３との間で、天壁１１５に向けて延出する。図５に示される如く、熱交換器４００の下端に形成された流入口４１２は、水槽２１０の底壁２１２に接続される。乾燥工程において、処理槽２００へ送られた乾燥空気は、流入口４１２を通じて、熱交換管４１０に流入する。尚、洗濯工程やすすぎ工程の間、処理槽２００内に供給された水（洗濯水や柔軟剤を含む水溶液）も、流入口４１２を通じて、熱交換管４１０内に流入する。
【００６３】
熱交換管４１０内に流入した乾燥空気は、熱交換管４１０の上端に形成された排気口４１３から排出される。その後、乾燥空気は、フィルタ装置７００、送風機６１０及びヒータ６２０を通過し、処理槽２００に戻される。
【００６４】
図８は、フィルタ装置７００、ダクトユニット６６０、送風機６１０、ヒータ６２０及び管路６１５の概略的な配置図である。図１、図４乃至図８を用いて、熱交換器４００への除湿水の供給が説明される。
【００６５】
処理槽２００中での衣類の乾燥処理及び熱交換器４００中の熱交換によって、乾燥空気の温度は、ヒータ６２０の直後の乾燥空気の温度よりも低くなる。したがって、フィルタ装置７００から送風機６１０までの経路において、結露が生じやすい。
【００６６】
ダクトユニット６６０は、フィルタ装置７００に向けて下方に傾斜する底壁６６１と、底壁６６１の下端と熱交換器４００の第３給水口４２３とに接続される接続管６６２と、を備える。ダクトユニット６６０中で結露し、ダクトユニット６６０の内面に付着した結露水は、重力作用によって、底壁６６１に沿って流下する。その後、結露水は、接続管６６２及び第３給水口４２３を通じて、除湿水として熱交換器４００に供給される。
【００６７】
フィルタ装置７００中で結露した結露水は、重力作用及び乾燥空気によってダクトユニット６６０に滴下する。その後、結露水は、ダクトユニット６６０の底壁６６１に沿って流下し、最終的に、接続管６６２及び第３給水口４２３を通じて、除湿水として熱交換器４００に供給される。
【００６８】
送風機６１０は、乾燥空気の流路内に配設されたファン６１１と、ファン６１１を回転させる駆動モータ６１２とを備える。ファン６１１に付着した結露水は、重力作用及びファン６１１の回転によって、ダクトユニット６６０に滴下する。その後、結露水は、ダクトユニット６６０の底壁６６１に沿って流下し、最終的に、接続管６６２及び第３給水口４２３を通じて、除湿水として熱交換器４００に供給される。
【００６９】
ダクトユニット６６０は、底壁６６１の下端部に配設された逆止弁６６３を更に備える。逆止弁６６３は、乾燥空気が、熱交換器４００からダクトユニット６６０に直接的に流入することを抑制する。
【００７０】
図４に関連して説明された如く、給水ユニット３００の筐体３２０から突出する排水筒３２１からは、給水口３０１から供給された水が、除湿水として排出される。排水筒３２１に接続された接続チューブは、熱交換器４００の第１給水口４２１及び第２給水口４２２にそれぞれ接続される。
【００７１】
熱交換器４００内に供給された除湿水は、熱交換管４１０の内面４１１に案内され、乾燥空気と熱交換する。この結果、乾燥空気は除湿される。熱交換管４１０の内面４１１に沿って流下した除湿水は、最終的に、熱交換器４００の下端の流入口４１２を介して、熱交換器４００から排出される。
【００７２】
図６に示される如く、熱交換器４００は、第１殻体４３０と、第１殻体４３０と主筐体１１０の背面壁１１２との間に配設される第２殻体４４０と、を備える。第２殻体４４０は、背面壁１１２に沿って配設される。図７に示される如く、第２殻体４４０は、第１殻体４３０に重ね合わされ、熱交換管４１０を形成する。流入口４１２及び排気口４１３は、第１殻体４３０に形成される。給水口４２０は、第２殻体４４０に形成される。
【００７３】
第１殻体４３０及び第２殻体４４０は、略Ｃ状に湾曲した流路を形成する。熱交換器４００の下端に形成された流入口４１２から流入した乾燥空気は、湾曲した流路を通過し、熱交換器４００の上端に形成された排気口４１３から排出される。
【００７４】
図７には、水平線ＨＬと、略円筒状に形成された排気口４１３の中心線Ｌ１が示されている。熱交換器４００は、好ましくは、排気口４１３の中心線Ｌ１が水平線に対して略直交するように主筐体１１０内に配設される。したがって、排気口４１３の中心線Ｌ１に略平行な第２殻体４４０の上側部分は、主筐体１１０の背面壁１１２に沿う。
【００７５】
図９は、熱交換器４００とフィルタ装置７００との間の接続構造を示す背面図である。図１、図６、図７及び図９を用いて、熱交換器４００とフィルタ装置７００との間の接続構造が説明される。
【００７６】
図９に示されるように、排気口４１３とフィルタ装置７００とを接続するベローズ管４１４の下端は、固定バンド４１６を用いて、排気口４１３に固定される。同様に、ベローズ管４１４の上端も、固定バンド４１７を用いて、フィルタ装置７００に固定される。本実施形態において、ベローズ管４１４は、除去装置と排気口とを接続する接続管として例示される。
【００７７】
図６及び図９に示される如く、フィルタ装置７００は、排気口４１３の中心線Ｌ１に対して水平方向（右側壁１１４から離間する方向）にずらされて配置される。図６に関連して説明された如く、作業者は、天壁１１５を取り外すことができる。その後、作業者は、ベローズ管４１４の固定に用いられた固定バンド４１６，４１７を取り外し、ベローズ管４１４を除去することができる。
【００７８】
図９に示される如く、乾燥機１００は、洗濯水の物性を測定するための導電センサ４５０と、アース電極４６０と、を更に備える。導電センサ４５０及びアース電極４６０は、熱交換管４１０の内部に突出する。上述の如く、熱交換管４１０内には、リントを含む乾燥空気やリントを含む洗濯水が流入する。乾燥空気又は洗濯水中のリントは、熱交換管４１０の内部に突出した導電センサ４５０及びアース電極４６０に堆積しやすい。
【００７９】
排気口４１３は、上方に開口する（即ち、天壁１１５に向けて開口する）。フィルタ装置７００は、排気口４１３の開口する方向に対して直交する方向（即ち、背面壁１１２に沿う方向）にずらされているので、作業者の視線は、排気口４１３を通じて、案内管４１０の内面に到達する。したがって、ベローズ管４１４を除去した作業者は、排気口４１３を介して、熱交換管４１０の内部を観察することができ、導電センサ４５０及び／又はアース電極４６０にリントが堆積しているか否かを容易に確認することができる。
【００８０】
（フィルタ装置）
図１０は、ベローズ管４１４に接続されたフィルタ装置７００の断面図である。図１、図８及び図１０を用いて、フィルタ装置７００が説明される。
【００８１】
フィルタ装置７００は、下側ユニット７１０と、下側ユニット７１０の上方に配設される上側ユニット７２０と、を備える。下側ユニット７１０は、主筐体１１０の内部で固定されるのに対し、上側ユニット７２０は、主筐体１１０から容易に取り外される。図８に関連して説明されたダクトユニット６６０は、下側ユニット７１０に取り付けられる。
【００８２】
図１１は、下側ユニット７１０の断面図である。図１０及び図１１を用いて、下側ユニット７１０が説明される。
【００８３】
下側ユニット７１０は、上側ユニット７２０を収容するための筐体７３０を備える。筐体７３０は、ベローズ管４１４に向けて突出する略円筒状の流入口７３１が形成された右側壁７３２と、右側壁７３２に対向する左側壁７３３と、を含む。乾燥空気は、ベローズ管４１４及び流入口７３１を通じて、フィルタ装置７００内に流入する。
【００８４】
下側ユニット７１０は、右側壁７３２と左側壁７３３とに接続された下側フィルタ部７３５を更に備える。下側フィルタ部７３５は、筐体７３０が形成する内部空間を、流入口７３１に連通する上側空間ＵＳと上側空間ＵＳに隣接する下側空間ＬＳとに分割する。流入口７３１から流入した乾燥空気は、上側空間ＵＳに流入した後、上側空間ＵＳの下方に形成された下側空間ＬＳに至る。
【００８５】
図１０に示される如く、上側空間ＵＳ内に上側ユニット７２０が収容される。上側ユニット７２０は、上側フィルタ部７２５を備える。上側フィルタ部７２５は、下側フィルタ部７３５に隣接する。また、上側フィルタ部７２５は、下側フィルタ部７３５に対して略平行である。
【００８６】
流入口７３１から流入した乾燥空気は、上側空間ＵＳ内に配設された上側ユニット７２０内に流入する。上側ユニット７２０内に流入した乾燥空気は、左側壁７３３に向かう第１方向ＦＤ（即ち、背面壁１１２に沿う方向）に流れる。
【００８７】
下側フィルタ部７３５と左側壁７３３との接続部分は、下側フィルタ部７３５と右側壁７３２との接続部分よりも上方に形成される。したがって、下側フィルタ部７３５及び下側フィルタ部７３５に平行な上側フィルタ部７２５は、第１方向ＦＤの乾燥空気の流れに対して傾斜する（図１０において、０°＜θ＜９０°（θは、第１方向ＦＤに対する上側フィルタ部７２５の傾斜角度））。
【００８８】
下側フィルタ部７３５及び上側フィルタ部７２５は、上側空間ＵＳから下側空間ＬＳに向けて流れる乾燥空気からリントを除去する。上述の如く、下側フィルタ部７３５及び上側フィルタ部７２５は、第１方向ＦＤの乾燥空気の流れに対して傾斜するので、リントを除去するための比較的広い面積が確保される。
【００８９】
図１２は、上側ユニット７２０が除去された乾燥機１００の平面図である。図３、図１０乃至図１２を用いて、下側フィルタ部７３５の清掃方法が説明される。
【００９０】
図１２に示される如く、主筐体１１０の天壁１１５には、上方に開口した取出口７０１が形成される。上側ユニット７２０は、取出口７０１を通じて、上側空間ＵＳに挿入され、主筐体１１０に取り付けられる。上側ユニット７２０が取出口７０１を通じて主筐体１１０から取り出されると、下側フィルタ部７３５が露出する。
【００９１】
上述の如く、下側フィルタ部７３５は、フィルタ装置７００の右側壁７３２と左側壁７３３とに接続されるので、使用者は、取出口７０１を通じて、下側フィルタ部７３５を容易に観察することができる。したがって、使用者は、下側フィルタ部７３５上で堆積したリントを容易に発見並びに除去することができる。
【００９２】
図５、図６、図１０及び図１１を用いて、フィルタ装置７００内の乾燥空気の流動が説明される。
【００９３】
図１０に示される如く、流入口７３１から上側空間ＵＳに流入した乾燥空気は、第１方向ＦＤ（右側壁７３２から左側壁７３３へ向かう方向）に流れる。その後、乾燥空気は、下方向ＤＤに流れる。
【００９４】
図５に示される如く、ダクトユニット６６０は、フィルタ装置７００から正面方向に延びる。したがって、下側空間ＬＳに流入した乾燥空気は、正面方向（即ち、左側壁７３３に沿う方向）に向けて流れ、送風機６１０に到達する。以下の説明において、フィルタ装置７００から送風機６１０へ向かう（即ち、正面壁１１１に向かう）乾燥空気の流れ方向は、第２方向ＳＤと称される。
【００９５】
図６は、第１方向ＦＤ及び第２方向ＳＤの乾燥空気の流れを概略的に示す。上述の如く、乾燥空気は、第１方向ＦＤに流れ、その後、下方向ＤＤに流れる。更にその後、乾燥空気は、下側ユニット７１０の筐体７３０及びダクトユニット６６０によって、第１方向ＦＤと略直交する第２方向ＳＤに案内される。このような乾燥空気の流れの捻れは、上側フィルタ部７２５及び下側フィルタ部７３５の周囲で生ずる。この結果、上側フィルタ部７２５及び下側フィルタ部７３５の周囲での乾燥空気の流れは、複雑になり、上側フィルタ部７２５及び下側フィルタ部７３５上でのリントの堆積位置は、変動する。上側フィルタ部７２５及び下側フィルタ部７３５上でリントは好適に分散されるので、上側フィルタ部７２５及び下側フィルタ部７３５の目詰まりの頻度は低減される。
【００９６】
図１０及び図１１に示される如く、下側空間ＬＳは、下側ユニット７１０の筐体７３０の右側壁７３２から左側壁７３３に向けて徐々に広くなる。上述の如く、捻れた流動をする乾燥空気の流れにおいて、遠心方向に位置する左側壁７３３の近傍での下側空間ＬＳの拡張は、乾燥空気の圧力損失の低減に貢献する。
【００９７】
（上側ユニット）
図１３は、上側ユニット７２０の斜視図である。図１４は、上側ユニット７２０の断面図である。図３、図１０、図１２乃至図１４を用いて、上側ユニット７２０が説明される。
【００９８】
上側ユニット７２０は、上述の上側フィルタ部７２５に加えて、主筐体１１０から取り外し可能に形成された筐体７４０と、筐体７４０に取り付けられる略矩形状の蓋体７５０と、を備える。筐体７４０は、上側フィルタ部７２５を支持する第１筐体７６０と、第１筐体７６０を回転可能に支持する第２筐体７７０と、を含む。蓋体７５０は、第２筐体７７０に取り付けられる。
【００９９】
図１２に関連して説明された如く、主筐体１１０の天壁１１５には取出口７０１が形成される。図３に示される如く、蓋体７５０は、取出口７０１を覆う。
【０１００】
図１３に示される如く、略三角箱状に形成された第１筐体７６０は、傾斜面７６１を含む。傾斜面７６１は、格子状に形成される。上側フィルタ部７２５として用いられるフィルタメッシュは、格子状の傾斜面７６１に取り付けられる。図１０に関連して説明された如く、傾斜面７６１は、下側フィルタ部７３５に対して略平行である。
【０１０１】
図１５は、上側ユニット７２０の正面図である。図１３及び図１５を用いて、上側ユニット７２０が更に説明される。
【０１０２】
第１筐体７６０は、回転突起７６２を備える。回転突起７６２は、第１筐体７６０の右上端に形成される。第２筐体７７０は、回転突起７６２に対して略相補的な支持筒７７１を備える。第１筐体７６０の右上端に形成された回転突起７６２は、支持筒７７１に挿通される。この結果、第１筐体７６０は、第２筐体７７０に回転可能に支持並びに連結される。本実施形態において、第１筐体７６０に回転突起７６２が形成され、第２筐体７７０に支持筒７７１が形成される。代替的に、第１筐体に支持筒が形成され、第２筐体に回転シャフトが形成されてもよい。
【０１０３】
図１６は、第１筐体７６０の右側面図である。図１０、図１３及び図１６を用いて、第１筐体７６０が説明される。
【０１０４】
図１０に示される如く、第１筐体７６０は、上側空間ＵＳ内に完全に収容される。図１６に示される如く、第１筐体７６０は、開口部７６３が形成された右側壁７６４を含む。流入口７３１を通過した乾燥空気は、開口部７６３を通じて、第１筐体７６０内に流入する。格子状の傾斜面７６１に取り付けられた上側フィルタ部７２５は、乾燥空気中のリントを捕捉する。
【０１０５】
図１３に示される如く、第１筐体７６０の左端が、第２筐体７７０に接続される第１位置に第１筐体７６０に存するとき、第１筐体７６０及び第２筐体７７０は、協働して、上側フィルタ部７２５に捕捉されたリントを収容するための収容空間を形成する。
【０１０６】
図１７は、右方に回動された第１筐体７６０を有する上側ユニット７２０の概略的な断面図である。図１３、図１６及び図１７を用いて、上側ユニット７２０からのリントの除去方法が説明される。
【０１０７】
第１筐体７６０の左端が第２筐体７７０から離間する離間方向（図１７中、右方向）に第１筐体７６０が回動すると、上側フィルタ部７２５に捕捉されたリントが除去可能となる。
【０１０８】
図１８は、更に離間方向に回動された第１筐体７６０を有する上側ユニット７２０が概略的な正面図である。図１５乃至図１８を用いて、第１筐体７６０の回動が説明される。
【０１０９】
第１筐体７６０は、回転突起７６２周りに更に離間方向に回動可能である。図１５に示される如く、右方に大きく突出する蓋体７５０は、右縁７５１を含む。図１８に示される如く、右縁７５１は、離間方向に回動する第１筐体７６０の右側壁７６４に接触し、第１筐体７６０の回動を制限する。以下の説明において、蓋体７５０によって回動を制限される第１筐体７６０の位置は、第２位置と称される。
【０１１０】
図１８には、蓋体７５０が第２筐体７７０から除去されたときに、第２筐体７７０から、最大限、離間方向に回動された第１筐体７６０が点線で示されている。図１８に示される如く、蓋体７５０が第２筐体７７０から除去されると、第１筐体７６０は、第２位置から更に離間方向に回動可能である。第２筐体７７０は、蓋体７５０との接続に用いられる接続部７７２を含む。接続部７７２は、外方に突出する。蓋体７５０が第２筐体７７０から除去された後、第１筐体７６０が、最大限、離間方向に回動すると、第１筐体７６０の右側壁７６４は、第２筐体７７０の接続部７７２に接触する。
【０１１１】
（第１筐体と第２筐体との接続構造）
図１９は、第１筐体７６０の回転突起７６２を示す。図１９（ａ）は、第１筐体７６０の右側面図である。図１９（ｂ）は、正面方向に突出する回転突起７６２の部分正面図であり、回転突起７６２の端面形状を表す。図１９（ｃ）は、背面方向に突出する回転突起７６２の端面形状を表す部分背面図である。図１９を用いて、回転突起７６２が説明される。
【０１１２】
回転突起７６２は、正面方向に突出する第１回転突起７６５と、第１回転突起７６５とは反対側に形成された第２回転突起７６６と、を含む。第１回転突起７６５とは反対方向に突出する第２回転突起７６６は、第１回転突起７６５と略同軸に形成される。略円柱形状の第２回転突起７６６は、略円形の断面を有する。一方、Ｄカット処理された第１回転突起７６５は、非円形断面を有する。
【０１１３】
Ｄカット処理された第１回転突起７６５の周面は、平坦面７６７を含む。平坦面７６７は、第１平坦面７６８と、第１平坦面７６８と反対側に形成された第２平坦面７６９と、を含む。第２平坦面７６９は、第１平坦面７６８に対して略平行である。第１回転突起７６５の周面は、第１平坦面７６８と第２平坦面７６９との間の弧状面７８１を更に含む。
【０１１４】
図２０は、第２筐体７７０の支持筒７７１を示す。図２０（ａ）は、第２筐体７７０の右側面図である。図２０（ｂ）は、図２０（ａ）に示される矢印Ａの方向から見た第２筐体７７０の部分断面図であり、第１回転突起７６５が挿入される支持筒７７１を示す。図２０（ｃ）は、図２０（ａ）に示される矢印Ｂの方向から見た第２筐体７７０の部分断面図であり、第２回転突起７６６が挿入される支持筒７７１を示す。図１９及び図２０を用いて、支持筒７７１が説明される。
【０１１５】
支持筒７７１は、第１回転突起７６５を支持する第１支持筒７７３と、第２回転突起７６６を支持する第２支持筒７７４と、を含む。支持筒７７１は、回転突起７６２と接触する内面７７５を含む。第１筐体７６０が回動するとき、第１回転突起７６５の弧状面７８１は、第１支持筒７７３の内面７７５に摺接される。一方で、第１回転突起７６５の平坦面７６７は、第１支持筒７７３の内面７７５から離間している。第２回転突起７６６の周面は、第２支持筒７７４の内面７７５に全体的に接触する。
【０１１６】
第２支持筒７７４は、第１支持筒７７３に対向する対向面７７６を含む。第１支持筒７７３は、対向面７７６から第１距離Ｄ１だけ離間した第１部分７７７と、対向面７７６から第２距離Ｄ２だけ離間した第２部分７７８と、を含む。尚、第２距離Ｄ２は、第１距離Ｄ１よりも長い。
【０１１７】
第１部分７７７は、第１部分７７７と第２部分７７８との境界において形成された空隙部Ｇを規定する縁部７７９を含む。空隙部Ｇは、回転突起７６２の回転軸ＲＸに対して半径方向に開口する。
【０１１８】
図２１は、第２筐体７７０に取り付けられる第１筐体７６０を示す。図２２は、図２１に示される第２筐体７７０の第１支持筒７７３と、図２１に示される第１筐体７６０の第１回転突起７６５と、を示す。図１８、図２０乃至図２２を用いて、第１筐体７６０と第２筐体７７０との接続が説明される。
【０１１９】
図２１に示される第１筐体７６０の回転位置は、図１８において点線で示される第１筐体７６０の位置に対応する。図２１に示される第１筐体７６０の回転位置において、第１筐体７６０は、第２筐体７７０に接続される。第１筐体７６０が第２筐体７７０に接続された後、蓋体７５０が第２筐体７７０に取り付けられる。以下の説明において、図２１に示される第１筐体７６０の回転位置は、取付位置と称される。
【０１２０】
図１８に関連して説明された如く、蓋体７５０は、第１筐体７６０の取付位置への回動を妨げる。したがって、蓋体７５０が第２筐体７７０から除去されない限り、第１筐体７６０と第２筐体７７０との接続は維持される。
【０１２１】
図２２に示される如く、空隙部Ｇを規定する縁部７７９は、空隙部Ｇの上側境界を定める上側縁部７８２と空隙部Ｇの下側境界を定める下側縁部７８３とを含む。上側縁部７８２と下側縁部７８３との間の距離は、第１回転突起７６５の第１平坦面７６８と第２平坦面７６９との距離に略等しく定められる。第１筐体７６０が取付位置に到達すると、上側縁部７８２と下側縁部７８３とを通過する面として規定される境界面Ｂに対して、平坦面７６７は略直交する。
【０１２２】
第１平坦面７６８と第２平坦面７６９との距離は、第１回転突起７６５の断面寸法の中で最も短い。したがって、第１筐体７６０が取付位置以外の他の位置に存するとき、縁部７７９は、第１支持筒７７３への第１回転突起７６５の挿入或いは第１支持筒７７３からの第１回転突起７６５の取り外しを妨げる。一方、第１筐体７６０が取付位置に到達すると、第１回転突起７６５は空隙部Ｇを通じて、第１支持筒７７３に挿入され、或いは、第１回転突起７６５は空隙部Ｇを通過し、第１支持筒７７３から分離される。
【０１２３】
本実施形態において、第２回転突起７６６は、第１回転突起７６５と異なる断面形状を有する。代替的に、第２回転突起は、第１回転突起と同形の断面を有してもよい。また、第２支持筒７７４は、第１支持筒７７３と異なる形状を有する。代替的に、第２支持筒は、第１支持筒に対して鏡像形状をなしてもよい。
【０１２４】
（フィルタ装置からの放熱）
図２３は、第２筐体７７０の概略的な断面図である。図２３を用いて、第２筐体７７０が説明される。
【０１２５】
第２筐体７７０は、水平に横たわる底壁７９１と、底壁７９１から上方に立設された周壁７９２と、底壁７９１の上面に形成されたリブ７９３と、を含む。第２筐体７７０は全体的に皿形状に形成され、底壁７９１及び周壁７９２は、蓋体７５０に対して窪んだ凹領域を形成する。底壁７９１の上面に形成されたリブ７９３は、周壁７９２の上面に沿って延びる。
【０１２６】
図２４は、上側ユニット７２０の斜視図である。図１、図１２、図２３及び図２４を用いて、上側ユニット７２０が説明される。
【０１２７】
図２４に示される如く、第１筐体７６０、第２筐体７７０及び蓋体７５０は、連結され、上側ユニット７２０として一体化される。図１２に関連して説明された如く、蓋体７５０は、主筐体１１０の天壁１１５に形成された開口部７０１を部分的に覆う。
【０１２８】
第２筐体７７０に取り付けられた蓋体７５０は、第２筐体７７０の底壁７９１と周壁７９２とによって規定された凹領域も部分的に閉塞する。蓋体７５０には、開口部７５４が形成される。蓋体７５０は、主筐体１１０から露出する外面（上面）を有する主板７５２と、第２筐体７７０の底壁７９１と周壁７９２とによって規定された凹領域内に突出する取手壁７５３と、を含む。取手壁７５３は、開口部７５４の縁部から主筐体１１０に対して凹設された凹領域に突出する。
【０１２９】
図２５は、上側ユニット７２０を示す。図２５（ａ）は、上側ユニット７２０の平面図である。図２５（ｂ）は、図２５（ａ）に示されるＣ−Ｃ線に沿う断面図である。図５及び図２５を用いて、上側ユニット７２０からの放熱が説明される。
【０１３０】
図５に関連して説明された如く、乾燥空気は、ヒータ６２０によって加熱される。図２５（ｂ）に示される如く、第２筐体７７０の底壁７９１及び周壁７９２は、第１筐体７６０と蓋体７５０との間を仕切る。また、底壁７９１及び周壁７９２は、第１筐体７６０と協働して、リントを収容するための収容空間を形成する。ヒータ６２０によって加熱された乾燥空気は、図２５（ｂ）の矢印で示されるように、収容空間に流入する。
【０１３１】
乾燥空気からの熱伝達によって、底壁７９１及び周壁７９２は加熱される。蓋体７５０の開口部７５４及び蓋体７５０に対向する底壁７９１及び周壁７９２の上面に形成されたリブ７９３は、底壁７９１及び周壁７９２からの放熱を促す。したがって、底壁７９１及び周壁７９２の過度の昇温が抑制される。
【０１３２】
使用者は、蓋体７５０の開口部７５４に指を挿入し、上側ユニット７２０を主筐体１１０から除去することができる。上述の如く、底壁７９１及び周壁７９２の過度の昇温が抑制されるので、使用者の指が底壁７９１又は周壁７９２に接触しても、使用者は過度の熱を感じない。したがって、高い安全性を有する乾燥機１００が提供される。
【産業上の利用可能性】
【０１３３】
本発明は、衣類を乾燥させるための装置に好適に利用される。
【符号の説明】
【０１３４】
１００・・・・・・乾燥機
１１０・・・・・・主筐体
１１１・・・・・・正面壁
１１２・・・・・・背面壁
１１５・・・・・・天壁
１３０・・・・・・扉体
２００・・・・・・処理槽
４００・・・・・・熱交換器
４１０・・・・・・熱交換管
４１１・・・・・・内面
４１２・・・・・・流入口
４１３・・・・・・排気口
４１４・・・・・・ベローズ管
６００・・・・・・循環システム
６６０・・・・・・ダクトユニット
７００・・・・・・フィルタ装置
ＦＤ・・・・・・・第１方向
ＳＤ・・・・・・・第２方向
【図１】
0005627107.tif 000002
【図２】
0005627107.tif 000003
【図３】
0005627107.tif 000004
【図４】
0005627107.tif 000005
【図５】
0005627107.tif 000006
【図６】
0005627107.tif 000007
【図７】
0005627107.tif 000008
【図８】
0005627107.tif 000009
【図９】
0005627107.tif 000010
【図１０】
0005627107.tif 000011
【図１１】
0005627107.tif 000012
【図１２】
0005627107.tif 000013
【図１３】
0005627107.tif 000014
【図１４】
0005627107.tif 000015
【図１５】
0005627107.tif 000016
【図１６】
0005627107.tif 000017
【図１７】
0005627107.tif 000018
【図１８】
0005627107.tif 000019
【図１９】
0005627107.tif 000020
【図２０】
0005627107.tif 000021
【図２１】
0005627107.tif 000022
【図２２】
0005627107.tif 000023
【図２３】
0005627107.tif 000024
【図２４】
0005627107.tif 000025
【図２５】
0005627107.tif 000026